(57)【要約】      （修正有）【課題】テレビ放送の受信信号と、ＣＡＴＶシステムの下り信号とをそれぞれ伝送する２つの伝送経路を備え、一方の伝送経路の入力側及び出力側を、切換スイッチを介して入力端子及び各信号共通の増幅回路に選択的に接続するよう構成されたテレビ信号増幅装置において、切換スイッチを介して伝送経路の出力側から入力側にテレビ信号が回り込むのを防止する。【解決手段】伝送経路２０に設けられた増幅回路２６の出力側には、切換スイッチ１４が伝送経路２０側に切り換えられているとき、ピンダイオード３０に電流を流して、受信信号を通過させ、切換スイッチ１４が伝送経路４０側に切り換えられると、ピンダイオード３０への通電を遮断して、受信信号の通過を阻止する。ピンダイオード３０を通過した受信信号は、切換スイッチ１４を通さず、直接出力経路４に伝送する。【選択図】図１
2014171099.tif 000002
【特許請求の範囲】
【請求項１】
受信アンテナにて受信されたテレビ信号である受信信号と、ＣＡＴＶシステムにてヘッドエンドから端末側に伝送されるテレビ信号である下り信号との何れか一方を選択的に入力するための入力端子と、
前記入力端子に入力された受信信号又は下り信号を所定の出力レベルまで増幅する出力増幅回路を備え、該出力増幅回路にて増幅された受信信号又は下り信号を出力端子から出力させる出力経路と、
前記入力端子に入力された受信信号を入力増幅回路にて所定の入力レベルまで増幅して前記出力経路まで伝送する受信信号伝送経路と、
前記入力端子に入力された下り信号を前記出力経路まで伝送する下り信号伝送経路と、
前記入力端子からの信号入力経路と前記受信信号伝送経路及び前記下り信号伝送経路との間、及び、前記受信信号伝送経路及び前記下り信号伝送経路と前記出力経路との間、にそれぞれ設けられた経路切換用の一対の接点を有し、該一対の接点が連動して移動することにより、前記入力端子に入力された受信信号を前記受信信号伝送経路を介して前記出力経路に入力するか、又は、前記入力端子に入力された下り信号を前記下り信号伝送経路を介して前記出力経路に入力するかを切り換え可能な切換スイッチと、
を備え、
前記切換スイッチと前記出力経路との接続点には電源ラインが接続され、
前記受信信号伝送経路における前記入力増幅回路の受信信号出力側には、前記切換スイッチが前記受信信号伝送経路側に切り換えられているとき、前記切換スイッチを介して前記電源ラインから電源供給を受けることによりオン状態となって、前記入力増幅回路からの出力を出力経路側に伝送させ、前記切換スイッチが前記下り信号伝送経路側に切り換えられているときには、前記電源ラインからの電源供給が遮断されることによりオフ状態となって、前記入力増幅回路から前記出力経路への前記受信信号の出力を遮断する半導体スイッチ、が設けられていることを特徴とするテレビ信号増幅装置。
【請求項２】
前記受信信号伝送経路に設けられた前記入力増幅回路は、
前記切換スイッチが前記受信信号伝送経路側に切り換えられているときに、前記切換スイッチを介して前記電源ラインから電源供給を受けることにより増幅動作し、前記切換スイッチが前記下り信号伝送経路側に切り換えられているときには、前記電源ラインからの電源供給が遮断されて増幅動作を停止することを特徴とする請求項１に記載のテレビ信号増幅装置。
【請求項３】
前記切換スイッチが前記下り信号伝送経路側に切り換えられているときに、前記受信信号伝送経路の入力側を所定の伝送インピーダンスにて終端する終端回路、
を備えたことを特徴とする請求項１又は請求項２に記載のテレビ信号増幅装置。
【請求項４】
前記入力端子と前記出力端子との間には、外部から出力端子に入力されたＣＡＴＶシステムの上り信号を所定レベルまで増幅する上り増幅回路を備えた上り信号伝送経路が設けられており、
前記上り増幅回路は、
前記切換スイッチが前記下り信号伝送経路側に切り換えられているときに、前記切換スイッチを介して前記電源ラインから電源供給を受けることにより増幅動作し、前記切換スイッチが前記受信信号伝送経路側に切り換えられているときには、前記電源ラインからの電源供給が遮断されて増幅動作を停止することを特徴とする請求項１〜請求項３の何れか１項に記載のテレビ信号増幅装置。
【発明の詳細な説明】
【技術分野】
【０００１】
本発明は、受信アンテナにて受信されたテレビ信号である受信信号と、ＣＡＴＶシステムにてヘッドエンドから端末側に伝送されるテレビ信号である下り信号との何れか一方を選択的に取り込み、その取り込んだ受信信号又は下り信号を所定レベルまで増幅して出力するテレビ信号増幅装置に関する。
【背景技術】
【０００２】
従来、マンション等でテレビ信号を加入者宅に伝送する共同受信システムとして、システム専用の受信アンテナにて受信されたテレビ信号（受信信号）を各戸に配信するように構成されたものや、ＣＡＴＶシステムにてヘッドエンドから端末側に伝送されるテレビ信号（下り信号）を各戸に配信するように構成されたものが知られている。
【０００３】
そして、こうした２種類のシステムで利用可能なテレビ信号増幅装置として、受信信号及び下り信号を各々伝送するための伝送経路を備え、入力端子に入力されたテレビ信号（受信信号又は下り信号）を、その信号に対応する伝送経路にスイッチを介して入力するように構成されたものが提案されている（例えば、特許文献１参照）。
【０００４】
この提案のテレビ信号増幅装置においては、上記一対の伝送経路の一方を通過したテレビ信号（受信信号又は下り信号）を、各信号共通の増幅回路で増幅して、出力端子から端末側に出力するように構成することで、増幅回路の低コスト化を図り、且つ、装置を小型化できるようにしている。
【０００５】
また、このように出力側の増幅回路を共通化すると、上記一対の伝送経路のうち、テレビ信号（受信信号又は下り信号）を通過させない伝送経路が、他方の伝送経路を通過したテレビ信号を増幅する増幅回路の動作に影響を与えることが考えられる。
【０００６】
このため、上記提案のテレビ信号増幅装置においては、上記一対の伝送経路の出力側にも、各信号共通の増幅回路における信号入力側と選択的に接続するためのスイッチが設けられている。
【０００７】
つまり、上記提案のテレビ信号増幅装置は、受信信号及び下り信号をそれぞれ伝送する伝送経路の入力側及び出力側に、経路切換用の一対の切換スイッチを設け、入力端子に入力されたテレビ信号が受信信号であれば、その一対の切換スイッチを受信信号伝送用の伝送経路側に切り換え、入力端子に入力されたテレビ信号が下り信号であれば、その一対の切換スイッチを下り信号伝送用の伝送経路側に切り換えるように構成されている。
【先行技術文献】
【特許文献】
【０００８】
【特許文献１】特開２００３−３０４５１２号公報
【発明の概要】
【発明が解決しようとする課題】
【０００９】
ところで、上記提案のテレビ信号増幅装置を実際に製造する際には、上記各伝送経路の入力側及び出力側に設ける一対の切換スイッチを、２経路を同時に切換可能な一つの切換スイッチにて構成することで、テレビ信号増幅装置の小型化を図ることができる。
【００１０】
しかしながら、このようにすると、切換スイッチにおいて、各伝送経路の入力側と出力側とが近接配置されることになる。
このため、例えば、各信号共通の増幅回路へのテレビ信号の入力レベルを適正レベルにするために、一対の伝送経路の一方に増幅回路を設けた場合、その増幅回路を設けた伝送経路から切換スイッチを介して次段の増幅回路（各信号共通の増幅回路）に出力されるテレビ信号の一部が、伝送経路の入力側に回り込み、その伝送経路を通過するテレビ信号の劣化を招き、場合によっては、その伝送系路上の増幅回路が発振することが考えられる。
【００１１】
つまり、ＣＡＴＶシステムから取り込む下り信号の信号レベルは、ＣＡＴＶシステム側の増幅装置によって適正レベルに制御されているが、受信アンテナから入力される受信信号は、受信アンテナの設置場所にもよるが、一般に、適正レベルよりも低くなる。
【００１２】
このため、受信信号伝送用の伝送経路には、通常、受信アンテナからの受信信号を増幅する増幅回路が設けられる。
しかし、このように増幅回路にて受信信号を増幅すると、受信信号の増幅後の信号レベルは、受信信号の入力レベルよりも高くなり、切換スイッチのアイソレーションが悪いと、その受信信号の一部が増幅回路の入力側に回り込んで、受信信号の品質低下を招いてしまう。
【００１３】
本発明は、こうした問題に鑑みなされたものであり、テレビ放送の受信信号と、ＣＡＴＶシステムの下り信号とをそれぞれ伝送する２つの伝送経路を備え、一方の伝送経路の入力側及び出力側を、一つの切換スイッチを介して入力端子及び各信号共通の増幅回路に選択的に接続するよう構成されたテレビ信号増幅装置において、切換スイッチを介して伝送経路の出力側から入力側にテレビ信号が回り込むのを防止することを目的とする。
【課題を解決するための手段】
【００１４】
かかる目的を達成するためになされた請求項１に記載のテレビ信号増幅装置は、
受信アンテナにて受信されたテレビ信号である受信信号と、ＣＡＴＶシステムにてヘッドエンドから端末側に伝送されるテレビ信号である下り信号との何れか一方を選択的に入力するための入力端子と、
前記入力端子に入力された受信信号又は下り信号を所定の出力レベルまで増幅する出力増幅回路を備え、該出力増幅回路にて増幅された受信信号又は下り信号を出力端子から出力させる出力経路と、
前記入力端子に入力された受信信号を入力増幅回路にて所定の入力レベルまで増幅して前記出力経路まで伝送する受信信号伝送経路と、
前記入力端子に入力された下り信号を前記出力経路まで伝送する下り信号伝送経路と、
前記入力端子からの信号入力経路と前記受信信号伝送経路及び前記下り信号伝送経路との間、及び、前記受信信号伝送経路及び前記下り信号伝送経路と前記出力経路との間、にそれぞれ設けられた経路切換用の一対の接点を有し、該一対の接点が連動して移動することにより、前記入力端子に入力された受信信号を前記受信信号伝送経路を介して前記出力経路に入力するか、又は、前記入力端子に入力された下り信号を前記下り信号伝送経路を介して前記出力経路に入力するかを切り換え可能な切換スイッチと、
を備え、
前記切換スイッチと前記出力経路との接続点には電源ラインが接続され、
前記受信信号伝送経路における前記入力増幅回路の受信信号出力側には、前記切換スイッチが前記受信信号伝送経路側に切り換えられているとき、前記切換スイッチを介して前記電源ラインから電源供給を受けることによりオン状態となって、前記入力増幅回路からの出力を出力経路側に伝送させ、前記切換スイッチが前記下り信号伝送経路側に切り換えられているときには、前記電源ラインからの電源供給が遮断されることによりオフ状態となって、前記入力増幅回路から前記出力経路への前記受信信号の出力を遮断する半導体スイッチ、が設けられていることを特徴とする。
【００１５】
請求項２に記載の発明は、請求項１に記載のテレビ信号増幅装置において、
前記受信信号伝送経路に設けられた前記入力増幅回路は、
前記切換スイッチが前記受信信号伝送経路側に切り換えられているときに、前記切換スイッチを介して前記電源ラインから電源供給を受けることにより増幅動作し、前記切換スイッチが前記下り信号伝送経路側に切り換えられているときには、前記電源ラインからの電源供給が遮断されて増幅動作を停止することを特徴とする請求項１に記載のテレビ信号増幅装置。
【００１６】
請求項３に記載の発明は、請求項１又は請求項２に記載のテレビ信号増幅装置において、
前記切換スイッチが前記下り信号伝送経路側に切り換えられているときに、前記切換スイッチに接続される前記受信信号伝送経路の入力側を所定の伝送インピーダンスにて終端する終端回路、
を備えたことを特徴とする。
【００１７】
請求項４に記載の発明は、請求項１〜請求項３の何れか１項に記載のテレビ信号増幅装置において、
前記入力端子と前記出力端子との間には、外部から出力端子に入力されたＣＡＴＶシステムの上り信号を所定レベルまで増幅する上り増幅回路を備えた上り信号伝送経路が設けられており、
前記上り増幅回路は、
前記切換スイッチが前記下り信号伝送経路側に切り換えられているときに、前記切換スイッチを介して前記電源ラインから電源供給を受けることにより増幅動作し、前記切換スイッチが前記受信信号伝送経路側に切り換えられているときには、前記電源ラインからの電源供給が遮断されて増幅動作を停止することを特徴とする。
【発明の効果】
【００１８】
請求項１に記載のテレビ信号増幅装置には、受信信号伝送経路と下り信号伝送経路とが備えられており、これら各伝送経路の入力側及び出力側が、切換スイッチを介して、入力端子及び出力経路に選択的に接続される。
【００１９】
切換スイッチは、入力端子からの信号入力経路と受信信号伝送経路及び下り信号伝送経路との間、及び、受信信号伝送経路及び下り信号伝送経路と出力経路との間、にそれぞれ設けられた経路切換用の一対の接点を有し、その一対の接点が連動して移動することにより、入力端子に入力された受信信号を受信信号伝送経路を介して出力経路に入力するか、又は、入力端子に入力された下り信号を下り信号伝送経路を介して出力経路に入力するかを切り換え可能である。
【００２０】
このため、受信アンテナにて受信されたテレビ信号（受信信号）を入力端子に入力した際に、その受信信号を出力経路へ伝送する経路として受信信号伝送経路を選択する場合、或いは、ＣＡＴＶシステムにてヘッドエンドから端末側に伝送されるテレビ信号（下り信号）を入力端子に入力した際に、その受信信号を出力経路へ伝送する経路として下り信号伝送経路を選択する場合、使用者は、一つの切換スイッチを操作するだけで、テレビ信号（受信信号又は下り信号）の伝送経路を簡単に設定できる。
【００２１】
また、受信信号伝送経路及び出力経路には、それぞれ、入力増幅回路及び出力増幅回路が設けられているため、入力端子に入力された受信信号の信号レベルが低い場合に、入力増幅回路にて受信信号を適正レベルまで増幅した後、出力増幅回路に入力できることになり、出力増幅回路を適正に動作させることができる。
【００２２】
ところで、このように受信信号伝送経路に入力増幅回路を設けた場合、切換スイッチが受信信号伝送経路側に切り換えられているとき、入力増幅回路からの受信信号の出力レベルが、入力端子から入力増幅回路への受信信号の入力レベルよりも高くなるため、切換スイッチの入力側と出力側とのアイソレーションが悪いと、入力増幅回路からの出力が入力側に回り込むことが考えられる。
【００２３】
これに対し、請求項１に記載のテレビ信号増幅装置においては、切換スイッチと出力経路との接続点に電源ラインが接続されており、受信信号伝送経路における入力増幅回路の受信信号出力側には、切換スイッチが受信信号伝送経路側に切り換えられているとき、切換スイッチを介して電源ラインから電源供給を受けることによりオン状態となって、入力増幅回路からの出力を出力経路側に伝送させ、切換スイッチが下り信号伝送経路側に切り換えられているときには、電源ラインからの電源供給が遮断されることによりオフ状態となって、入力増幅回路から出力経路への受信信号の出力を遮断する、半導体スイッチが設けられている。
【００２４】
この結果、請求項１に記載のテレビ信号増幅装置によれば、切換スイッチが受信信号伝送経路側に切り換えられているときに、入力増幅回路にて増幅された受信信号が半導体スイッチを介して直接出力経路に伝送されることにより、切換スイッチ内での信号入出力端子間のアイソレーションが低い場合であっても、入力増幅回路から出力された受信信号が入力増幅回路の入力側に回り込むのを防止できる。
【００２５】
よって、請求項１に記載のテレビ信号増幅装置によれば、切換スイッチが受信信号伝送経路側に切り換えられているとき、受信信号の信号品質を劣化させることなく、受信信号を所望レベルまで増幅して、出力端子から出力させることができる。
【００２６】
次に、請求項２に記載のテレビ信号増幅装置においては、切換スイッチが受信信号伝送経路側に切り換えられているときに、切換スイッチを介して電源ラインから入力増幅回路に電源供給されて、入力増幅回路が増幅動作し、切換スイッチが下り信号伝送経路側に切り換えられているときには、電源ラインから入力増幅回路への電源供給が遮断されて、入力増幅回路が増幅動作を停止する。
【００２７】
このため、請求項２に記載のテレビ信号増幅装置によれば、切換スイッチが下り信号伝送経路側に切り換えられているときに、入力増幅回路の増幅動作によって周囲のノイズが増幅されて、下り信号の伝送経路に回り込み、下り信号の信号品質が劣化するのを防止することができる。
【００２８】
また次に、請求項３に記載のテレビ信号増幅装置においては、切換スイッチが下り信号伝送経路側に切り換えられているときに、受信信号伝送経路の入力側を所定の伝送インピーダンスにて終端する終端回路が設けられている。
【００２９】
このため、請求項３に記載のテレビ信号増幅装置によれば、切換スイッチが下り信号伝送経路側に切り換えられているときに、受信信号伝送経路にノイズが入力されるのを、終端回路により防止することができる。
【００３０】
よって、請求項３に記載のテレビ信号増幅装置によれば、受信信号伝送経路に入力されたノイズが、切換スイッチ内で下り信号の伝送経路に回り込んだり、或いは、入力増幅回路にて増幅されたりすることにより、下り信号の信号品質が劣化するのを、より良好に防止することができる。
【００３１】
また、請求項４に記載のテレビ信号増幅装置においては、入力端子と出力端子との間に、外部から出力端子に入力されたＣＡＴＶシステムの上り信号を所定レベルまで増幅する上り増幅回路を備えた上り信号伝送経路が設けられている。
【００３２】
このため、請求項４に記載のテレビ信号増幅装置によれば、端末側から出力端子に伝送されてきたＣＡＴＶシステムの上り信号を増幅して、ＣＡＴＶシステムのヘッドエンド側に出力することができ、ＣＡＴＶシステムでの双方向通信を実現できる。
【００３３】
また、請求項４に記載のテレビ信号増幅装置においては、切換スイッチが下り信号伝送経路側に切り換えられているときに、切換スイッチを介して電源ラインから上り増幅回路に電源供給されて、上り増幅回路が増幅動作し、切換スイッチが受信信号伝送経路側に切り換えられているときには、電源ラインから上り増幅回路への電源供給が遮断されて、上り増幅回路が増幅動作を停止する。
【００３４】
このため、請求項４に記載のテレビ信号増幅装置によれば、切換スイッチが受信信号伝送経路側に切り換えられており、ＣＡＴＶシステムの上り信号を入力端子からＣＡＴＶシステムの伝送路に出力する必要がないときに、使用者による切換スイッチの操作と連動して、上り増幅回路への電源供給を自動で遮断することができる。
【００３５】
よって、請求項４に記載のテレビ信号増幅装置によれば、上り増幅回路への電源供給による不要な電力消費を防止し、テレビ信号増幅装置の省電力化を図ることができる。
【図面の簡単な説明】
【００３６】
【図１】実施形態のテレビ信号増幅装置の構成を表す回路図である。
【発明を実施するための形態】
【００３７】
以下に本発明の実施形態を図面と共に説明する。
本実施形態のテレビ信号増幅装置２は、受信アンテナにて受信されたＵＨＦ帯のテレビ信号（受信信号）と、ＣＡＴＶシステムにてヘッドエンドから端末側に伝送されるテレビ信号（下り信号）との何れかを入力するための入力端子Ｔ１を備え、入力端子Ｔ１に入力された受信信号又は下り信号を所定レベルまで増幅して、出力端子Ｔ２から出力するためのもの（所謂ブースタ）である。
【００３８】
図１に示すように、テレビ信号増幅装置２には、受信信号又は下り信号を所定の出力レベルまで増幅する前後２段の出力増幅回路３４、３５を備え、各出力増幅回路３４、３５にて増幅された受信信号又は下り信号を、出力端子Ｔ２から出力させる出力経路４が設けられている。
【００３９】
この出力経路４と出力端子Ｔ２との間には、受信信号及び下り信号を通過させ、これらの信号とは周波数帯が異なる他の信号の通過を阻止するハイパスフィルタ（ＨＰＦ）３６及びローパスフィルタ（ＬＰＦ）３８が設けられている。
【００４０】
また、出力経路４の入力側には、出力経路４に入力される受信信号又は下り信号を減衰させることで出力経路４全体の利得を調整するゲインコントロール回路（ＧＣ）３２が設けられている。
【００４１】
一方、入力端子Ｔ１には、受信信号及び下り信号を通過させ、これらの信号よりも低周波数の信号（例えば、後述の上り信号）の通過を阻止するＨＰＦ１０が接続されている。
また、ＨＰＦ１０の入力端子Ｔ１とは反対側には、ＨＰＦ１０を介して入力された受信信号又は下り信号を減衰させることで、これら各信号の入力レベルを調整するための可変減衰器（ＡＴＴ）１２が接続されている。
【００４２】
そして、このＡＴＴ１２とＧＣ３２との間には、この間の経路を遮断した状態で、ＡＴＴ１２及びＧＣ３２を受信信号伝送経路２０の入力側及び出力側に接続するか、或いは、ＡＴＴ１２及びＧＣ３２を下り信号伝送経路４０の入力側及び出力側に接続するか、を手動で切り換えるための切換スイッチ１４が設けられている。
【００４３】
この切換スイッチ１４は、ＡＴＴ１２と受信信号伝送経路２０及び下り信号伝送経路４０の入力側との間に設けられた摺動接点１４ａ、及び、受信信号伝送経路２０及び下り信号伝送経路４０の出力側とＧＣ３２との間に設けられた摺動接点１４ｂとの２つの摺動接点を備える。
【００４４】
この２つの摺動接点１４ａ、１４ｂは、共通の操作部１４ｃにて連結されており、この操作部１４ｃを操作して、摺動接点１４ａ、１４ｂを受信信号伝送経路２０側に移動させれば、ＡＴＴ１２及びＧＣ３２が受信信号伝送経路２０の入力側及び出力側にそれぞれ接続され、下り信号伝送経路４０の入力側及び出力側が開放される。
【００４５】
また、操作部１４ｃを操作して、摺動接点１４ａ、１４ｂを下り信号伝送経路４０側に移動させれば、ＡＴＴ１２及びＧＣ３２が下り信号伝送経路４０の入力側及び出力側にそれぞれ接続され、受信信号伝送経路２０の入力側及び出力側が開放される。
【００４６】
ここで、下り信号伝送経路４０は、入力端子Ｔ１にＣＡＴＶシステムの伝送路が接続されて、入力端子Ｔ１にＣＡＴＶシステムの下り信号が入力されているとき、切換スイッチ１４を下り信号伝送経路４０側に切り換えることにより、ＡＴＴ１２から入力される下り信号をＧＣ３２側に伝送させるためのものである。
【００４７】
そして、この下り信号伝送経路４０には、直流電流の通過を阻止し、下り信号等のテレビ信号（換言すれば高周波信号）を通過させるコンデンサ４２が設けられている。
次に、受信信号伝送経路２０は、入力端子Ｔ１に受信信号が入力されているとき、切換スイッチ１４を受信信号伝送経路２０側に切り換えることにより、ＡＴＴ１２から入力される受信信号をＧＣ３２側に伝送させるためのものである。
【００４８】
そして、受信信号伝送経路２０には、受信信号を通過させ、受信信号よりも低周波数の信号の通過を阻止するＨＰＦ２２と、ＨＰＦ２２を介して入力される受信信号を、ＣＡＴＶシステムの下り信号と同レベルの適正レベルまで増幅する入力増幅回路２６と、受信信号伝送経路２０全体の利得を調整するための可変減衰器（ＡＴＴ）２４と、が設けられている。
【００４９】
また、受信信号伝送経路２０において、入力増幅回路２６の出力側には、直流電流を遮断し、受信信号等のテレビ信号を通過させるコンデンサ２８と、半導体スイッチとして機能するピンダイオード３０とが設けられており、更に、これらコンデンサ２８とピンダイオード３０との間の接続点は、電流制限用の抵抗５４を介してグランドラインに接地されている。
【００５０】
なお、抵抗５４の抵抗値は大きく、コンデンサ２８及びピンダイオード３０を通過する受信信号に影響を与えることはない。
ピンダイオード３０は、カソードがコンデンサ２８に接続され、アノードがＧＣ３２の入力側に直接接続されている。また、ピンダイオード３０のカソードは、コイル５２を介して、切換スイッチ１４に接続されている。なお、このコイル５２は、受信信号等のテレビ信号を遮断し、直流電流を通過させるためのものである。
【００５１】
また、ＧＣ３２と切換スイッチ１４との間には、直流電流を遮断し、下り信号等のテレビ信号を通過させるコンデンサ４４が設けられており、コンデンサ４４の切換スイッチ１４側には、コイル５０を介して電源ラインが接続されている。なお、このコイル５０は、コイル５２と同様、テレビ信号を遮断し直流電流を通過させるためのものである。
【００５２】
従って、切換スイッチ１４が受信信号伝送経路２０側に切り換えられているとき、コイル５０、５２、摺動接点１４ｂ及び抵抗５４を介して、電源ラインからピンダイオード３０に順方向電流が流れ、ピンダイオード３０が、受信信号を通過可能な低インピーダンス（換言すればオン状態）となって、入力増幅回路２６にて増幅された受信信号がＧＣ３２（延いては出力経路４）に直接出力されることになる。
【００５３】
また、出力経路４に設けられた出力増幅回路３４、３５には、電源ラインから直接電源電圧Ｖｃが供給されるが、受信信号伝送経路２０に設けられた入力増幅回路２６には、切換スイッチ１４が受信信号伝送経路２０側に切り換えられているときにだけ、コイル５０、切換スイッチ１４及びコイル５２を介して、電源ラインから電源電圧Ｖｃが供給される。
【００５４】
このため、入力増幅回路２６は、切換スイッチ１４が受信信号伝送経路２０側に切り換えられているときにだけ増幅動作し、切換スイッチ１４が下り信号伝送経路４０側に切り換えられているときには、増幅動作を停止する。
【００５５】
従って、本実施形態のテレビ信号増幅装置２によれば、切換スイッチ１４が受信信号伝送経路２０側に切り換えられて、入力端子Ｔ１に入力された受信信号が受信信号伝送経路２０に入力されているとき、入力増幅回路２６がその受信信号を増幅し、増幅後の受信信号がピンダイオード３０を介して、ＧＣ３２（延いては出力経路４）に直接出力されることになる。
【００５６】
このため、本実施形態のテレビ信号増幅装置２によれば、切換スイッチ１４内での信号入出力端子間のアイソレーションが低い場合であっても、入力増幅回路２６から出力された受信信号が入力増幅回路の入力側に回り込むのを防止できる。
【００５７】
よって、本実施形態のテレビ信号増幅装置２によれば、切換スイッチ１４が受信信号伝送経路２０側に切り換えられているとき、受信信号の信号品質を劣化させることなく、入力増幅回路２６、出力増幅回路３４、３５、ＧＣ３２、及びＡＴＴ１２、２４を介して、受信信号を所望レベルまで増幅し、出力端子Ｔ２から出力させることができる。
【００５８】
また、切換スイッチ１４が下り信号伝送経路４０側に切り換えられているときには、入力増幅回路２６は、増幅動作を停止する。
このため、本実施形態のテレビ信号増幅装置２によれば、入力増幅回路２６の増幅動作によって周囲のノイズが増幅されて、下り信号の伝送経路に回り込み、下り信号の信号品質が劣化するのを防止することもできる。
【００５９】
また次に、本実施形態のテレビ信号増幅装置２には、切換スイッチ１４が下り信号伝送経路４０側に切り換えられているときに、受信信号伝送経路２０の入力側を所定の伝送インピーダンスにて終端するための終端回路６０が設けられている。
【００６０】
この終端回路６０は、終端用のコンデンサ６２と、このコンデンサ６２をＨＰＦ２２の入力側に接続するための半導体スイッチであるピンダイオード６４と、ピンダイオード６４に流れる電流を制限する抵抗６６と、切換スイッチ１４が下り信号伝送経路４０側に切り換えられているとき、摺動接点１４を介して、電源ラインからの電源電圧Ｖｃをピンダイオード６４に供給するためのコイル６７及び６８と、により構成されている。
【００６１】
ここで、ピンダイオード６４は、カソードがＨＰＦ２２の入力側に接続され、アノードがコンデンサ６２に接続されている。また、抵抗６６は、一端がピンダイオード６４のカソードに接続され、他端がグランドラインに接地されている。なお、抵抗６６の抵抗値は大きく、受信信号伝送経路２０を通過する受信信号に影響を与えることはない。
【００６２】
また、コンデンサ６２は、一端がピンダイオード６４のアノードに接続され、他端がグランドラインに接地されている。また、コイル６７及び６８は、上述したコイル５０、５２と同様、受信信号、下り信号等のテレビ信号を遮断し、直流電流を通過させるためのものである。
【００６３】
このように構成された終端回路６０においては、切換スイッチ１４が下り信号伝送経路４０側に切り換えられているとき、コイル６８、摺動接点１４ａ、コイル６７、及び抵抗６６を介して、電源ラインからピンダイオード６４に順方向電流が流れ、ピンダイオード６４がオン状態となって、ＨＰＦ２２の入力側をコンデンサ６２の容量で決まる所定の伝送インピーダンスにて終端することになる。
【００６４】
このため、切換スイッチ１４が下り信号伝送経路４０側に切り換えられて、ＨＰＦ２２の入力側が開放状態になった際に、受信信号伝送経路２０に周囲のノイズが入力されるのを防止し、延いては、そのノイズが、切換スイッチ１４を介して下り信号伝送経路４０を通過する下り信号に影響を与えるのを防止できる。
【００６５】
また更に、本実施形態のテレビ信号増幅装置には、入力端子Ｔ１と出力端子Ｔ２との間に、端末側から出力端子Ｔ２に入力されたＣＡＴＶシステムの上り信号を、入力端子Ｔ１まで伝送して、入力端子Ｔ１からＣＡＴＶシステムのヘッドエンド側に出力する上り信号伝送経路７０が設けられている。
【００６６】
この上り信号伝送経路７０には、上り信号を通過させ、受信信号や下り信号等のテレビ信号の通過を阻止する一対のＬＰＦ７２、７６と、この一対のＬＰＦ７２、７６の間に配置されて、上り信号を所定レベルまで増幅する上り増幅回路７４と、が備えられている。
【００６７】
そして、この上り増幅回路７４には、切換スイッチ１４が下り信号伝送経路４０側に切り換えられているとき、コイル５０、摺動接点１４ｂ  及びコイル７８を介して、電源ラインから電源電圧Ｖｃが供給される。
【００６８】
このため、本実施形態のテレビ信号増幅装置２によれば、切換スイッチ１４が受信信号伝送経路２０側に切り換えられており、ＣＡＴＶシステムの上り信号を入力端子Ｔ１からＣＡＴＶシステムの伝送路に出力する必要がないときに、使用者による切換スイッチ１４の操作と連動して、上り増幅回路７４への電源供給を自動で遮断することができる。
【００６９】
よって、本実施形態のテレビ信号増幅装置２によれば、上り増幅回路７４への電源供給による不要な電力消費を防止し、テレビ信号増幅装置２の省電力化を図ることができる。
以上、本発明の一実施形態について説明したが、本発明は上記実施形態に限定されるものではなく、本発明の要旨を逸脱しない範囲内にて、種々の態様を採ることができる。
【００７０】
例えば、上記実施形態では、請求項１〜請求項４に記載の全ての構成を含むテレビ信号増幅装置について説明したが、本発明のテレビ信号増幅装置は、請求項１に記載の構成（本実施形態では、ピンダイオード３０と、ピンダイオード３０への通電を行うコイル５０、摺動接点１４ｂ、コイル５２及び抵抗５４からなる通電経路）を備えるだけで所期の目的を達成することができる。
【００７１】
このため、請求項２〜請求項４に記載の各構成は、こうした請求項１に記載の構成と適宜組み合わせるようにすればよく、各構成の組み合わせは、設計時に適宜選択すればよい。
【００７２】
また、上記実施形態では、半導体スイッチとしてピンダイオードを用いるものとして説明したが、半導体スイッチは、受信信号を通過させるか否かを通電・非通電により切り換えることができればよいため、トランジスタ等、ピンダイオード以外の半導体を利用するようにしてもよい。
【符号の説明】
【００７３】
２…テレビ信号増幅装置、Ｔ１…入力端子、Ｔ２…出力端子、４…出力経路、１０，２２，３６…ＨＰＦ、１２，２４…ＡＴＴ、１４…切換スイッチ、１４ａ，１４ｂ…摺動接点、１４ｃ…操作部、２０…受信信号伝送経路、２６…入力増幅回路、２８，４２，４４，６２…コンデンサ、３０，６４…ピンダイオード、３２…ＧＣ、３４…出力増幅回路、３８，７２，７６…ＬＰＦ、４０…下り信号伝送経路、５０，５２，６８，７８…コイル、５４，６６…抵抗、６０…終端回路、７０…上り信号伝送経路、７４…上り増幅回路。
【図１】
2014171099.tif 000003